(57)【要約】【課題】  文章データ、写真データ等の異なるカテゴリデータを含むデータの閲覧を効率的に行なうことを可能とした装置、および方法を提供する。【解決手段】  文章データ、写真データ、番組情報データなどの異なるカテゴリのデータからなるデータ集合、例えば記事データを順次、切り替えて表示する構成において、ユーザの操作する入力手段から入力する上下または左右ボタンを指定した入力情報に基づいて、特定の記事データを選択するとともに、選択した記事データから表示対象のカテゴリデータを選択し、選択データを表示部に出力する。また。表示対象カテゴリデータを含まない記事タイトルのスキップアニメーション表示を行なう。【選択図】  図１１
2005327000.tif 000002
【特許請求の範囲】
【請求項１】
ユーザインタフェース制御装置であり、
ユーザの操作情報を入力する入力部と、
前記入力部からの入力情報に基づいて表示データの切り替え処理を実行する表示制御部と、
前記表示制御部の制御に基づいて生成された出力データを表示する表示部とを有し、
前記表示制御部は、
前記入力部からの上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを前記表示部に出力する制御を実行する構成を有することを特徴とするユーザインタフェース制御装置。
【請求項２】
前記データ集合は、前記異なるカテゴリのデータとして文章データ、写真データ、番組情報データの少なくともいずれかの組み合わせからなる記事データによって構成されたデータ集合であり、
前記表示制御部は、
前記入力部から入力する上下または左右ボタンを指定した入力情報に基づいて、特定の記事データを選択するとともに、該選択した記事データから表示対象のカテゴリデータとして文章データ、写真データ、番組情報データのいずれかを選択し、選択したデータを前記表示部に出力する制御を実行する構成を有することを特徴とする請求項１に記載のユーザインタフェース制御装置。
【請求項３】
前記表示制御部は、
前記入力部から入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する制御を実行する構成を有することを特徴とする請求項１に記載のユーザインタフェース制御装置。
【請求項４】
前記表示制御部は、
予め指定された表示対象カテゴリに属するデータを含まない記事タイトルについてはスキップすることを示すアニメーション表示を行なう構成であることを特徴とする請求項３に記載のユーザインタフェース制御装置。
【請求項５】
前記表示制御部は、
前記入力部から入力する上下または左右ボタンを指定した入力情報に基づいて、データ集合の識別子としての記事タイトルのスクロール表示を実行するとともに、記事タイトルと異なる画面領域に表示されたカテゴリデータについても記事タイトルに連動したスクロール表示を実行する構成を有することを特徴とする請求項１に記載のユーザインタフェース制御装置。
【請求項６】
ユーザインタフェース制御方法であり、
ユーザの操作情報を入力する入力ステップと、
前記入力ステップにおける入力情報に基づいて表示データの切り替え処理を実行する表示制御ステップと、
前記表示制御ステップの制御に基づいて生成された出力データを表示する表示ステップとを有し、
前記表示制御ステップは、
前記入力ステップにおいて入力される上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを表示部に出力する制御を実行するステップを含むことを特徴とするユーザインタフェース制御方法。
【請求項７】
前記データ集合は、前記異なるカテゴリのデータとして文章データ、写真データ、番組情報データの少なくともいずれかの組み合わせからなる記事データによって構成されたデータ集合であり、
前記表示制御ステップは、
前記入力ステップにおいて入力する上下または左右ボタンを指定した入力情報に基づいて、特定の記事データを選択するとともに、該選択した記事データから表示対象のカテゴリデータとして文章データ、写真データ、番組情報データのいずれかを選択し、選択したデータを表示部に出力する制御を実行することを特徴とする請求項６に記載のユーザインタフェース制御方法。
【請求項８】
前記表示制御ステップは、
前記入力ステップにおいて入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する制御を実行することを特徴とする請求項６に記載のユーザインタフェース制御方法。
【請求項９】
前記表示制御ステップは、
予め指定された表示対象カテゴリに属するデータを含まない記事タイトルについてはスキップすることを示すアニメーション表示を行なうステップを含むことを特徴とする請求項８に記載のユーザインタフェース制御方法。
【請求項１０】
前記表示制御ステップは、
前記入力ステップにおいて入力する上下または左右ボタンを指定した入力情報に基づいて、データ集合の識別子としての記事タイトルのスクロール表示を実行するとともに、記事タイトルと異なる画面領域に表示されたカテゴリデータについても記事タイトルに連動したスクロール表示を実行することを特徴とする請求項６に記載のユーザインタフェース制御方法。
【請求項１１】
ユーザインタフェース制御を実行するコンピュータ・プログラムであり、
ユーザの操作情報を入力する入力ステップと、
前記入力ステップにおける入力情報に基づいて表示データの切り替え処理を実行する表示制御ステップと、
前記表示制御ステップの制御に基づいて生成された出力データを表示する表示ステップとを有し、
前記表示制御ステップは、
前記入力ステップにおいて入力される上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを表示部に出力する制御を実行するステップを含むことを特徴とするコンピュータ・プログラム。
【発明の詳細な説明】
【技術分野】
【０００１】
本発明は、ユーザインタフェース制御装置、およびユーザインタフェース制御方法、並びにコンピュータ・プログラムに関する。特に、たとえば文書情報、写真情報など異なる複数のカテゴリのデータをユーザの選択に基づいて切り替えてディスプレイに提示する構成を持つユーザインタフェース制御装置、およびユーザインタフェース制御方法、並びにコンピュータ・プログラムに関する。
【背景技術】
【０００２】
デジタル技術の発達により、映像や音声からなるＡＶデータを劣化なく大量に蓄積することが可能になってきた。最近では、数十ＧＢあるいはそれ以上の容量を持つＨＤＤやＤＶＤなどの記録媒体が比較的安価になり、ＨＤＤベースの録画機やＤＶＤベースの録画機も登場してきている。これらの記録メディアの大容量化に伴い、録画処理装置では、多くの番組を録画し蓄積することが可能となる。
【０００３】
記録メディアの大容量化により多数の番組を録画、蓄積することが可能になるに伴い、録画番組の選択や録画予約処理のユーザ負担が大きくなるという問題が発生してきている。ユーザの負担を軽減するために、近年、ユーザの嗜好やプロファイル情報などを記憶、蓄積し、これらの情報に基づいて番組の録画や録画予約を自動的に行うシステムが開発されている。
【０００４】
自動録画予約処理は、例えば、放送局等から配信されるＥＰＧ（電子番組ガイド）に基づいて実行される。ＥＰＧ（電子番組ガイド）は、各放送コンテンツについての放送日時、放送チャンネル、出演者情報、番組概要等、放送コンテンツに対応した属性情報から構成される。録画処理装置は、ＥＰＧ（電子番組ガイド）を受信し、記憶部に格納されたユーザの嗜好やプロファイル情報との照合処理を行なって、予約対象コンテンツを自動選択する。なお、ＥＰＧおよび嗜好情報に基づく自動録画予約処理については、例えば特許文献１に記載されている。
【０００５】
ＥＰＧ（電子番組ガイド）を受信したユーザの装置では、ＥＰＧに含まれるコンテンツ情報、例えば出演者情報や、番組の概要などをディスプレイに表示することが可能となり、ユーザは放送予定コンテンツの概要を知ることが可能となる。
【０００６】
しかし、記憶部に蓄積した嗜好情報のみに基づく録画対象選択のみでは、かならずしもユーザの希望に従った録画が実行されるとは限らない。従って、放送予定の番組などの番組情報をディスプレイに表示して、ユーザ自身によって番組選択を行ないたいという要求は今後も存在し、膨大な数の番組の中からユーザによる番組選択処理を行なう場合の効率化が求められている。
【特許文献１】特開２００２−２４８６２号公報
【発明の開示】
【発明が解決しようとする課題】
【０００７】
本発明は、上述の問題点に鑑みてなされたものであり、たとえば文書情報、写真情報など異なる複数のカテゴリのデータをユーザの選択に基づいて自在に切り替えてディスプレイに提示するなど、多数かつ多種類のデータから効率的に表示データを選択して表示することを可能としたユーザインタフェース制御装置、およびユーザインタフェース制御方法、並びにコンピュータ・プログラムを提供することを目的とする。
【０００８】
本発明は、特に、放送予定の番組などの番組情報、文書情報、写真情報など異なる複数のカテゴリのデータを含む記事情報から特定のカテゴリデータを自在に選択してディスプレイに表示し、ユーザの情報取得や、番組選択処理を効率的に実行することを可能としたユーザインタフェース制御装置、およびユーザインタフェース制御方法、並びにコンピュータ・プログラムを提供することを目的とする。
【課題を解決するための手段】
【０００９】
本発明の第１の側面は、
ユーザインタフェース制御装置であり、
ユーザの操作情報を入力する入力部と、
前記入力部からの入力情報に基づいて表示データの切り替え処理を実行する表示制御部と、
前記表示制御部の制御に基づいて生成された出力データを表示する表示部とを有し、
前記表示制御部は、
前記入力部からの上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを前記表示部に出力する制御を実行する構成を有することを特徴とするユーザインタフェース制御装置にある。
【００１０】
さらに、本発明のユーザインタフェース制御装置の一実施態様において、前記データ集合は、前記異なるカテゴリのデータとして文章データ、写真データ、番組情報データの少なくともいずれかの組み合わせからなる記事データによって構成されたデータ集合であり、前記表示制御部は、前記入力部から入力する上下または左右ボタンを指定した入力情報に基づいて、特定の記事データを選択するとともに、該選択した記事データから表示対象のカテゴリデータとして文章データ、写真データ、番組情報データのいずれかを選択し、選択したデータを前記表示部に出力する制御を実行する構成を有することを特徴とする。
【００１１】
さらに、本発明のユーザインタフェース制御装置の一実施態様において、前記表示制御部は、前記入力部から入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する制御を実行する構成を有することを特徴とする。
【００１２】
さらに、本発明のユーザインタフェース制御装置の一実施態様において、前記表示制御部は、予め指定された表示対象カテゴリに属するデータを含まない記事タイトルについてはスキップすることを示すアニメーション表示を行なう構成であることを特徴とする。
【００１３】
さらに、本発明のユーザインタフェース制御装置の一実施態様において、前記表示制御部は、前記入力部から入力する上下または左右ボタンを指定した入力情報に基づいて、データ集合の識別子としての記事タイトルのスクロール表示を実行するとともに、記事タイトルと異なる画面領域に表示されたカテゴリデータについても記事タイトルに連動したスクロール表示を実行する構成を有することを特徴とする。
【００１４】
さらに、本発明の第２の側面は、
ユーザインタフェース制御方法であり、
ユーザの操作情報を入力する入力ステップと、
前記入力ステップにおける入力情報に基づいて表示データの切り替え処理を実行する表示制御ステップと、
前記表示制御ステップの制御に基づいて生成された出力データを表示する表示ステップとを有し、
前記表示制御ステップは、
前記入力ステップにおいて入力される上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを表示部に出力する制御を実行するステップを含むことを特徴とするユーザインタフェース制御方法にある。
【００１５】
さらに、本発明のユーザインタフェース制御方法の一実施態様において、前記データ集合は、前記異なるカテゴリのデータとして文章データ、写真データ、番組情報データの少なくともいずれかの組み合わせからなる記事データによって構成されたデータ集合であり、前記表示制御ステップは、前記入力ステップにおいて入力する上下または左右ボタンを指定した入力情報に基づいて、特定の記事データを選択するとともに、該選択した記事データから表示対象のカテゴリデータとして文章データ、写真データ、番組情報データのいずれかを選択し、選択したデータを表示部に出力する制御を実行することを特徴とする。
【００１６】
さらに、本発明のユーザインタフェース制御方法の一実施態様において、前記表示制御ステップは、前記入力ステップにおいて入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する制御を実行することを特徴とする。
【００１７】
さらに、本発明のユーザインタフェース制御方法の一実施態様において、前記表示制御ステップは、予め指定された表示対象カテゴリに属するデータを含まない記事タイトルについてはスキップすることを示すアニメーション表示を行なうステップを含むことを特徴とする。
【００１８】
さらに、本発明のユーザインタフェース制御方法の一実施態様において、前記表示制御ステップは、前記入力ステップにおいて入力する上下または左右ボタンを指定した入力情報に基づいて、データ集合の識別子としての記事タイトルのスクロール表示を実行するとともに、記事タイトルと異なる画面領域に表示されたカテゴリデータについても記事タイトルに連動したスクロール表示を実行することを特徴とする。
【００１９】
さらに、本発明の第３の側面は、
ユーザインタフェース制御を実行するコンピュータ・プログラムであり、
ユーザの操作情報を入力する入力ステップと、
前記入力ステップにおける入力情報に基づいて表示データの切り替え処理を実行する表示制御ステップと、
前記表示制御ステップの制御に基づいて生成された出力データを表示する表示ステップとを有し、
前記表示制御ステップは、
前記入力ステップにおいて入力される上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを表示部に出力する制御を実行するステップを含むことを特徴とするコンピュータ・プログラムにある。
【００２０】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２１】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２２】
本発明の構成によれば、文章データ、写真データ、番組情報データなどの異なるカテゴリのデータからなるデータ集合、例えば記事データを順次、切り替えて表示する構成において、ユーザの操作する入力手段から入力する上下または左右ボタンを指定した入力情報に基づいて、特定の記事データを選択するとともに、選択した記事データから表示対象のカテゴリデータとして文章データ、写真データ、番組情報データのいずれかを選択し、選択したデータを表示部に出力する構成としたので、効率的なデータの検索および表示処理が可能となる。
【００２３】
また、本発明の構成によれば、ユーザの入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する構成とした。具体的には、予め指定された表示対象カテゴリに属するデータを含まない記事タイトルについてはスキップすることを示すアニメーション表示を行なう構成としたので、ユーザはスクロールされる表示情報を見ているだけで、各記事に写真データが含まれるか、あるいは文章データが含まれるかなどを判別することが可能となる。
【発明を実施するための最良の形態】
【００２４】
以下、図面を参照しながら本発明のユーザインタフェース制御装置、およびユーザインタフェース制御方法、並びにコンピュータ・プログラムの詳細について説明する。
【００２５】
まず、図１を参照して、本発明のユーザインタフェース制御装置が、ディスプレイに提示するデータの基本構成について説明する。
【００２６】
本発明のユーザインタフェース制御装置では、例えばハードディスクなどのデータ記憶部１００に格納されたデータをディスプレイに提示する処理を実行し、ユーザの入力に基づいて提示するデータを切り替える。なお、出力するデータはネットワークを介して入力するデータ、あるいはＤＶＤなどの記録媒体からの読み取りデータであってもよい。ここでは、データ記憶部１００から読み取られたデータの表示をする例について説明する。
【００２７】
データ記憶部１００には、図１に示すように様々なコンテンツＡ１０１ａ〜コンテンツＺ１０１ｚが格納されており、ユーザの選択によって表示対象のコンテンツが選択され、ユーザインタフェース制御装置の制御の下にディスプレイに表示するデータが選択される。
【００２８】
コンテンツＢ１０１ｂには、複数の記事情報１０２−１〜ｎが格納されており、個々の記事情報は、以下の異なるカテゴリのデータを構成要素としたデータ集合として構成されている。
（ａ）記事タイトル情報
（ｂ）番組情報
（ｃ）文章情報
（ｄ）写真情報
【００２９】
ただし、記事情報１０２−１〜ｎのすべてが、上記（ａ）〜（ｄ）の全要素を含むとは限らない。例えば図１に示す例では、記事１，１０２−１は上記（ａ）〜（ｄ）の全要素を含むが、記事２，１０２−２は（ａ）〜（ｃ）のみからなり、記事３，１０２−３は（ａ）と（ｂ）のみからなるデータとして構成されている。本発明のユーザインタフェース制御装置では、このように、（ａ）記事タイトル情報、（ｂ）番組情報、（ｃ）文章情報、（ｄ）写真情報などの異なるカテゴリのデータを含み、さらに各々の構成要素が異なる要素からなるデータの選択表示処理を行なう。
【００３０】
図２を参照して、本発明のユーザインタフェース制御装置の制御によってディスプレイに表示される表示データの基本構成について説明する。図２に示すようにディスプレイ１０５は、コンテンツ選択領域１０６、選択コンテンツ表示領域１０７、カテゴリ選択領域１０８を有し、コンテンツ選択領域１０６に設けられた左右ボタン１１２，１１３のユーザ操作によって表示対象としてのコンテンツが選択される。コンテンツＡ，１１１ａ、コンテンツＢ，１１１ｂ、コンテンツＣ，１１１ｃ・・・は選択可能なコンテンツ種別データを示しており、これらのいずれかが選択される。図はコンテンツＢ，１１１ｂが選択された状態を示している。選択コンテンツ表示領域１０７には、選択されたコンテンツＢ，１１１ｂに含まれるさまざまなカテゴリのデータが表示されることになる。
【００３１】
コンテンツ選択領域１０６のコンテンツＡ，１１１ａ、コンテンツＢ，１１１ｂ、コンテンツＣ，１１１ｃ・・・は、図１のコンテンツＡ，１０１ａ、コンテンツＢ，１０１ｂ、コンテンツＣ，１０１ｃ・・に対応する。
【００３２】
カテゴリの選択は、カテゴリ選択ボタン１２１，１２２，１２３によって実行され、その切り替えは、左右ボタン１２４，１２５の操作によって実行可能となる。カテゴリ選択ボタン１２１は文章情報の選択、カテゴリ選択ボタン１２２は写真情報の選択、カテゴリ選択ボタン１２３は番組情報の選択に適用される。
【００３３】
図２の選択コンテンツ表示領域１０７には、選択コンテンツの内部データ、すなわち、図１に示す各記事１０２−１〜ｎに関する情報の提示が行なわれる。選択コンテンツ表示領域１０７には、前述した（ａ）記事タイトル情報、（ｂ）番組情報、（ｃ）文章情報、（ｄ）写真情報などのデータ表示を行なう領域としてのデータ表示領域１１４と、データ表示領域１１４に表示させる切り替えなどの処理を行なうための上下ボタン１１５、１１６と、決定ボタン１１７、戻るボタン１１８が設定される。なお、これらの各ボタンの配置構成、用途は、データ表示領域１１４に表示されるデータ内容によって異なるものとなる。選択画面によっては、コンテンツ選択領域１０６や、カテゴリ選択領域１０８が非表示となる場合もある。これらの詳細については、順次説明する。
【００３４】
データ表示領域１１４に表示されるデータは、図に示すように、画面ＮＯ．０〜Ｎｏ．５の６種類であり、それぞれ、
画面Ｎｏ．０：メニュー画面
画面Ｎｏ．１：記事一覧画面
画面Ｎｏ．２：記事詳細画面
画面Ｎｏ．３：番組一覧画面
画面Ｎｏ．４：文章表示画面
画面Ｎｏ．５：写真表示画面
である。
【００３５】
これらの複数の画面の切り替えは、ディスプレイに提示される各ボタンのユーザ操作情報を入力したユーザインタフェース制御装置が、操作情報に基づいて実行する。なお、ユーザの操作するリモコン等の入力手段には、ディスプレイに提示される上下ボタン、左右ボタン、その他の操作ボタンに対応する操作部が設けられており、これらの操作部に対するユーザの操作情報がユーザインタフェース制御装置に入力される。
【００３６】
図３を参照して、各ボタンの操作と、画面０〜５の画面遷移との対応について説明する。図３に示す画面０〜画面５中、画面０は、メニュー画面であり起動時に表示される。メニュー画面には、以下において説明する記事閲覧処理の他、例えば録画情報の再生処理など様々なメニューデータが提示される。メニュー画面において、上下ボタンを操作して［記事閲覧処理］を選択し決定ボタンを操作することにより画面Ｎｏ．１の記事一覧画面が提示される。
【００３７】
画面Ｎｏ．１の記事一覧画面の例を図４に示す。図４に示すように、記事一覧画面には、画面左領域に各記事のタイトルと取得日時データがリストとして提示され、上下ボタン２０５，２０６の操作により、各記事のタイトルと取得日時データが上下にスクロールする。図に示す［日本はやっぱり・・・］、「ロングボード・・・」が記事タイトルに相当し、各
記事の取得日時が併せて提示される。この記事のタイトルは、図１に示す記事１，１０２−１〜記事ｎ，１０２−ｎの各々の記事タイトル情報に相当し、これらをリスト化して表示したものである。
【００３８】
図４の例では、１つの記事タイトル２０１「マカハビーチで・・・」がフォーカス状態、すなわち選択状態にあり、この選択状態にある記事タイトル２０１に対応する記事に関連するデータの概要が記事概要データ表示領域２０２に表示される。
【００３９】
図４に示す記事一覧画面での［決定ボタン］は、操作ボタン２０７、すなわち［○ボタンで詳しく表示］ボタン２０７に対応する。［○ボタンで詳しく表示］ボタン２０７を操作することにより、画面Ｎｏ．２の記事詳細画面に遷移する。戻るボタン２０８を操作することで画面Ｎｏ．０のメニュー画面に遷移する。この遷移は、図３に示す画面遷移に対応している。
【００４０】
図４に示す画面Ｎｏ．１の記事一覧画面において、［○ボタンで詳しく表示］ボタン２０７を操作することにより、画面Ｎｏ．２の記事詳細画面に遷移する。画面Ｎｏ．２の記事詳細画面の詳細画面例を図５に示す。
【００４１】
画面Ｎｏ．２の記事詳細画面においても、画面左側に各記事のタイトルと取得日時データがリストとして提示される。画面右側には、選択した記事タイトルの対応データとしての写真情報２１２、番組情報２１１、文章情報２１３が並べられて表示される。図５に示す表示態様は、写真情報２１２、番組情報２１１、文章情報２１３中、番組情報２１１のみが中央に拡大して表示されている状態であるが、これらの写真情報２１２、番組情報２１１、文章情報２１３は上下ボタン２１５，２１６を操作することによって入れ替えが実行される。
【００４２】
例えば上下ボタン２１５を操作すると、写真情報２１２が中央に拡大して表示される。この表示態様を図６に示す。このように、上下ボタン２１５の操作により、選択記事に含まれる異なるカテゴリのデータが順次入れ替えられて表示される。中央に拡大して表示された領域には決定ボタンに相当する［○ボタンで詳しく表示］ボタン２１４が表示され、このボタン２１４を操作することにより、画面Ｎｏ．３〜５のいずれかの画面に遷移する。
【００４３】
図６の状態、すなわち、写真情報２１２が中央に拡大して表示された状態で、［○ボタンで詳しく表示］ボタン２１４を操作した場合は、画面Ｎｏ．５の写真表示画面に遷移し、図５の状態、すなわち、番組情報２１１が中央に拡大して表示された状態で、［○ボタンで詳しく表示］ボタン２１４を操作した場合は、画面Ｎｏ．３の番組一覧画面に遷移する。なお、戻るボタン２１８を操作することで画面Ｎｏ．１の記事一覧画面に遷移する。この遷移は、図３に示す画面遷移に対応している。
【００４４】
図５に示す画面Ｎｏ．２の記事詳細画面において、［○ボタンで詳しく表示］ボタン２１７を操作することにより遷移するＮｏ．３の番組一覧画面の詳細画面例を図７に示す。
【００４５】
Ｎｏ．３の番組一覧画面は、記事タイトル情報表示領域２２３と、番組情報表示領域２２１が含まれる。記事タイトル情報表示領域２２３において選択された記事タイトル情報の番組情報が番組情報表示領域２２１に表示される。図７の例では、記事タイトル情報表示領域２２３のタイトル「マカハビーチで・・・」２４０が選択された状態にあり、このタイトル２４０に対応する番組情報が、番組情報表示領域２２１に表示される。
【００４６】
図７に示す番組情報表示領域２２１に表示される番組情報に対応付けて示されるアイコンは、放送予定アイコン２２６、録画済アイコン２２７であり、それぞれの番組が放送予定であるか録画済であるかを識別可能としている。上下ボタン２２４，２２５を操作することにより、記事タイトル情報表示領域２２３に表示される記事タイトル情報と、番組情報表示領域２２１に表示される番組情報が連動して上下にスクロールして表示される。
【００４７】
図８を参照してスクロール処理の態様について説明する。記事タイトル情報表示領域２２３に表示される記事タイトル情報と、番組情報表示領域２２１に表示される番組情報は、上向きの上下ボタン２２４を操作することで、上方向に流れるように各表示情報がスクロールし、下向きの上下ボタン２２５を操作することで、下方向に流れるように各表示情報がスクロールする。
【００４８】
すなわち記事タイトル情報表示領域２２３に表示される記事タイトル情報に対応する番組情報が、番組情報表示領域２２１に表示されるように表示データの切り替えが実行されることになる。
【００４９】
図７に戻り、Ｎｏ．３の番組一覧画面の構成についての説明を続ける。Ｎｏ．３の番組一覧画面において、決定ボタンは、［○録画予約ボタン］２３２であり、［○録画予約ボタン］２３２の操作により、番組情報表示領域２２１において選択された番組の録画予約処理が実行される。戻るボタン２３３を操作することで、画面Ｎｏ．２の記事詳細画面に遷移する。
【００５０】
Ｎｏ．３〜Ｎｏ．５の画面には、カテゴリ選択ボタン２２８，２２９，２３０が表示され、その遷移のための左右ボタン２３１が表示される。カテゴリ選択ボタン２３０は文章情報の選択、カテゴリ選択ボタン２２９は写真情報の選択、カテゴリ選択ボタン２２８は番組情報の選択に適用され、図７に示す状態は、カテゴリ選択ボタン２２８の選択状態であり、Ｎｏ．３の番組一覧画面の表示がなされた状態である。
【００５１】
ここで、左右ボタン２３１を操作することにより、Ｎｏ．４の文章表示画面、あるいはＮｏ．５の写真表示画面に遷移する。Ｎｏ．４の文章表示画面の詳細画面例を図９に示す。
【００５２】
Ｎｏ．４の文章表示画面は、記事タイトル情報表示領域２２３と、文章情報表示領域２４１が含まれる。記事タイトル情報表示領域２２３において選択されている記事タイトルに対応する文章情報が文章情報表示領域２４１に表示される。
【００５３】
図９の例では、記事タイトル情報表示領域２２３のタイトル「マカハビーチで・・・」２４０が選択された状態にあり、このタイトル２４０に対応する文章情報が文章情報表示領域２４１に表示される。
【００５４】
上下ボタン２４２，２４３を操作することにより、記事タイトル情報表示領域２２３において表示される記事タイトルがスクロールし、選択記事が順次切り替わり、その切り替えに連動して、文章情報表示領域２４１に表示される文章情報が切り替えられて表示される。すなわち、記事タイトル情報表示領域２２３において表示され選択状態にある記事タイトルに対応する文章情報が文章情報表示領域２４１に表示される。
【００５５】
なお、先に図１を参照して説明したように、全ての記事に番組情報、文章情報、写真情報が含まれているとは限らず、文章情報を含まない記事もある。このような場合、スクロール処理を実行すると、文章情報を含まない記事タイトルをスキップする処理が実行されたことを示すアニメーション表示を実行して、スキップされた記事、すなわち文章データを含まない記事があることをユーザに通知する。すなわち、表示対象カテゴリに属するデータを含まない記事タイトルについてはスキップすることを示すアニメーション表示を行なう。このスキップ処理については後段でさらに説明する。
【００５６】
Ｎｏ．４の文章表示画面において、決定ボタンは、［○コメントする］２４４であり、［○コメントする］２４４の操作により、記事に対するコメント作成画面に切り替えられることになる。戻るボタン２３３を操作することで、画面Ｎｏ．２の記事詳細画面に遷移する。
【００５７】
Ｎｏ．４の文章表示画面にも、カテゴリ選択ボタン２２８，２２９，２３０が表示され、その遷移のための左右ボタン２３１が表示される。図９に示す状態は、カテゴリ選択ボタン２３０の選択状態であり、Ｎｏ．４の文章表示画面の表示がなされた状態である。
【００５８】
左右ボタン２３１を操作することにより、Ｎｏ．３の番組一覧画面、あるいはＮｏ．５の写真表示画面に遷移する。Ｎｏ．５の写真表示画面の詳細画面例を図１０に示す。
【００５９】
Ｎｏ．５の写真表示画面は、記事タイトル情報表示領域２２３と、写真情報表示領域２５１が含まれる。記事タイトル情報表示領域２２３において選択されている記事タイトルに対応する写真情報が写真情報表示領域２５１に表示される。
【００６０】
図１０の例では、記事タイトル情報表示領域２２３のタイトル「マカハビーチで・・・」２４０が選択された状態にあり、このタイトル２４０に対応する写真情報が写真情報表示領域２５１に表示される。
【００６１】
上下ボタン２５２，２５３を操作することにより、記事タイトル情報表示領域２２３において表示される記事タイトルがスクロールし、選択記事が順次切り替わり、その切り替えに連動して、写真情報表示領域２５１に表示される写真情報が切り替えられて表示される。すなわち、記事タイトル情報表示領域２２３において表示され選択状態にある記事タイトルに対応する写真情報が写真情報表示領域２５１に表示される。
【００６２】
なお、先に図１を参照して説明したように、全ての記事に番組情報、文章情報、写真情報が含まれているとは限らず、写真情報を含まない記事もある。このような場合、スクロール処理を実行すると、写真情報を含まない記事タイトルをスキップする処理が実行されたことを示すアニメーション表示を実行して、スキップされた記事、すなわち写真データを含まない記事があることをユーザに通知する。すなわち、表示対象カテゴリに属するデータを含まない記事タイトルについてはスキップすることを示すアニメーション表示を行なう。このスキップ処理については後段でさらに説明する。
【００６３】
Ｎｏ．５の写真表示画面において、決定ボタンは、［○スライドショー］実行ボタン２５５であり、［○スライドショー］実行ボタン２５５の操作により、記事に含まれる複数の写真が順次切り替えられて表示されるスライドショーが実行される。戻るボタン２５６を操作することで、画面Ｎｏ．２の記事詳細画面に遷移する。
【００６４】
Ｎｏ．５の写真表示画面にも、カテゴリ選択ボタン２２８，２２９，２３０が表示され、その遷移のための左右ボタン２３１，２５４が表示される。図１０に示す状態は、カテゴリ選択ボタン２２９の選択状態であり、Ｎｏ．５の写真表示画面の表示がなされた状態である。
【００６５】
ディスプレイに表示されるＮｏ．３〜Ｎｏ．５の画面の遷移およびスキップ処理について、図１１を参照して説明する。前述したように、Ｎｏ．３〜Ｎｏ．５の画面は、
画面Ｎｏ．３：番組一覧画面
画面Ｎｏ．４：文章表示画面
画面Ｎｏ．５：写真表示画面
である。
【００６６】
前述したように、各記事情報には、番組情報、文章情報、写真情報が含まれるが、図１を参照して説明したように、全ての記事にこれら３つの情報が含まれるとは限らず、番組情報のみの記事や、番組情報と文章情報のみが含まれる記事など様々である。
【００６７】
本発明のユーザインタフェース制御装置は、これら様々なデータ構成を持つ複数の記事対応の異なるカテゴリデータの表示切り替えを、ユーザの指示、すなわち上下ボタン、左右ボタンの操作入力情報に基づいて実行し、かつ、文章情報、写真情報が含まれない記事については、スキップする処理を実行する。
【００６８】
具体的な画面切り替えについて図１１を参照して説明する。図１１において、記事１〜記事６は、図７〜図１０に示す画面例における記事情報表示領域２２３に示される記事に対応する。記事情報表示領域２２３には上から新しい記事から順に記事タイトルと取得日時情報が表示される。
【００６９】
記事情報表示領域２２３の下部に、その時点で選択されているカテゴリの情報、すなわち番組情報、文章情報、写真情報のいずれかが表示される。この表示切り替えは、図１１に示す左右ボタン３０１，３０２によって実行される。また、記事の切り替えは、上下ボタン３０３，３０４の操作によって実行される。これらのボタンは、図７〜図１０の画面例に示す上下ボタンと左右ボタンに対応する。
【００７０】
例えば記事情報表示領域２２３の下部に表示するカテゴリとして文章情報が選択されている場合の処理について説明する。これは、先に説明した図９の画面表示例に相当する。
【００７１】
図１１において、記事１の文章が表示されている状態をマーク３２１で示す。この状態において、上下ボタン３０３，３０４（図９の上下ボタン２４２，２４３に相当）を操作することにより、図９に示す記事情報表示領域２２３の記事タイトル情報がスクロールし、図１１の矢印３３１，３３２に従って、記事２，３，４・・・の順に記事情報表示領域２２３の記事タイトル情報が流れて表示される。
【００７２】
記事２には、文章情報が含まれるが、記事３と記事４には、文章情報が含まれない。この場合、記事情報表示領域２２３の記事タイトル情報のスクロール表示では、文章情報の含まれる記事タイトル表示と、文章情報の含まれない記事タイトル表示との表示態様を異ならせる。すなわち、文章情報の含まれない記事タイトルについては、スキップすることをユーザに識別させるためのアニメーション表示処理を行なう。アニメーション表示の表示態様は様々であり、文章情報の含まれる記事タイトル表示と、文章情報の含まれない記事タイトル表示の各々についての表示色を変更させたり、異なる動きを示す表示態様とするなどの表示態様を異ならせた表示処理を実行する。
【００７３】
スキップされた記事タイトル情報は選択対象とされず、表示対象として文章情報が選択されている場合には、文章データを含まない記事タイトルについてはスキップすることを示すアニメーション表示を行なう。文章情報の含まれる記事タイトルのみが選択可能となる。すなわち、図１１の例では、記事３と記事４には、文章情報が含まれないので、記事３と記事４の記事タイトル情報はスキップ表示され、選択対象とはされず、スクロール処理は、文章情報が含まれる記事５に進んで始めて選択可能となる。
【００７４】
図１１において、文章情報の表示状態で、上下ボタンを操作した場合は、記事１の文章情報表示状態と、記事２の文章情報表示状態と、記事５の文章情報表示状態３２５の遷移が発生し、記事３、４の文章表示はスキップされる処理が実行されることになる。
【００７５】
記事１の文章表示状態において、カテゴリ遷移を行なう場合は、左右ボタン３０１，３０２を操作する。左右ボタン３０１，３０２を操作することにより、図１１に示す矢印３３３，３３４の遷移が発生し、記事１の番組情報の表示（図７参照）、写真情報の表示（図１０参照）が実行される。
【００７６】
記事１の写真情報の表示（図１０参照）状態において、上下ボタン３０３，３０４（図１０の上下ボタン２５２，２５３に相当）を操作することにより、図１０に示す記事情報表示領域２２３の記事タイトル情報がスクロールし、図１１の矢印３３５に従って、記事２，３，４・・・の順に記事情報表示領域２２３の記事タイトル情報が流れて表示される。
【００７７】
記事２には写真情報が含まれない。この場合、記事情報表示領域２２３の記事タイトル情報のスクロール表示では、写真情報の含まれる記事タイトル表示と、写真情報の含まれない記事タイトル表示との表示態様を異ならせる。すなわち、写真情報の含まれない記事タイトルについては、スキップすることをユーザに識別させるためのアニメーション表示処理を行なう。アニメーション表示の表示態様は様々であり、写真情報の含まれる記事タイトル表示と、写真情報の含まれない記事タイトル表示の各々についての表示色を変更したり、異なる動きを示す表示態様とするなどの表示とする表示制御処理が行なわれる。
【００７８】
スキップされた記事タイトル情報は選択対象とされず、写真情報の含まれる記事タイトルのみが選択可能となる。すなわち、図１１の例では、記事２には、写真情報が含まれないので、記事２の記事タイトル情報はスキップ表示され、選択対象とはされず、スクロール処理は、写真情報が含まれる記事３に進んで始めて選択可能となる。
【００７９】
このように、本発明のユーザインタフェース制御装置では、異なるカテゴリのデータを全て含む記事（データ集合）と、一部のみを含む記事（データ集合）が混在し、それぞれの記事を選択し、さらに選択した記事から抽出した特定のカテゴリのデータを表示する構成において、特定のカテゴリのデータを指定した表示を行ない、各記事を順次切り替る処理を行なう場合に、表示対象としているカテゴリに対応するデータを含まない記事タイトルをスキップする構成とし、またスキップしたことをユーザが確認可能なアニメーション表示を実行する構成としたので、ユーザが逐次、１つ１つの記事の内容確認を行なうことなく、表示対象となっているカテゴリのデータが、各記事に含まれるか否かを確認しながら、効率的に記事の閲覧を行なうことが可能となる。
【００８０】
すなわち、本発明のユーザインタフェース制御装置は、ユーザの入力する上下または左右ボタンを指定した入力情報に基づいて、データ集合の識別子としての記事タイトルのスクロール表示を実行するとともに、このスクロール表示において、予め指定された表示対象カテゴリに属するデータを含む記事タイトルと、含まない記事タイトルとの表示態様を変更して表示する構成を持つ。具体的には、予め指定された表示対象カテゴリに属するデータを含まない記事タイトルについてはスキップすることを示すアニメーション表示を行なう構成としたので、ユーザはスクロールされる表示情報を見ているだけで、各記事に写真データが含まれるか、あるいは文章データが含まれるかなどを判別することが可能となる。
【００８１】
次に、図１２を参照して、本発明のユーザインタフェース制御装置を含む情報処理装置の構成例としての録画処理装置の構成について説明する。
【００８２】
録画処理装置６００は、データ入力部６１０、データ処理部６２０、データ記憶部６３０を有する。データ入力部６１０は、各放送局６０３からの放送を受信するチューナ６１１、ＤＶＤなどの記録媒体（メディア）６０２からのデータ入力を行なうメディアインタフェース６１２、インターネット等のネットワーク６０１を介した通信を実行する通信インタフェース６１３を有する。
【００８３】
データ処理部６２０は、録画処理制御部６２１、記事情報解析部６２２、ユーザインタフェース制御部（表示制御部）６２３、集計処理部６２４を有する。データ処理部のデータ処理は、具体的には、ＣＰＵの制御の下に所定のプログラムに従って実行される処理である。ユーザインタフェース制御部（表示制御部）６２３はデータ出力部としてのスピーカ６５１、ディスプレイ６５２、さらにデータ入力部としてのリモコン６５３などとのデータ入出力を行ない、上述した各種の表示データの生成、切り替え処理を実行する。
【００８４】
データ記憶部６３０には、録画ファイル記憶部６３１、録画予約リスト記憶部６３２、記事情報記憶部６３３を有する。これらは、例えばハードディスクに相当する。
【００８５】
記事管理システム２２３，２３３は、放送番組の関係者、例えば監督、出演者、スタッフなどの作成する記事を格納したデータベースを持つサーバであり、ユーザの録画処理装置６００からアクセスして記事を取得することができる。記事とは、例えば図１を参照して説明した（ａ）記事タイトル情報、（ｂ）番組情報、（ｃ）文章情報、（ｄ）写真情報から構成される記事である。記事取得は、例えば記事識別子としてのＵＲＬに基づいて取得可能である。
【００８６】
記事情報解析部６２２は、データ構造などのデータ解析を実行する。取得した記事情報は、記事情報記憶部６３３に記憶されるユーザインタフェース制御部６２３は、リモコン６５３などから入力するユーザの操作情報に基づいて、ディスプレイ６５２、スピーカを介して画像や音声情報として各種の情報を出力する。
【００８７】
ユーザインタフェース制御部６２３の処理としては、上述した記事閲覧処理における表示データの切り替え制御、スクロール表示、スキップ表示時のアニメーション表示などが含まれる。
【００８８】
ユーザインタフェース制御部６２３は、上下ボタン、左右ボタン、決定ボタン、戻るボタン、その他の各種ボタンの操作情報をリモコン６５３他の入力手段から受領して図３に示す各画面の表示切り替え処理を実行して、図４〜図１０を参照して説明した各画面、すなわち、
画面Ｎｏ．０：メニュー画面
画面Ｎｏ．１：記事一覧画面
画面Ｎｏ．２：記事詳細画面
画面Ｎｏ．３：番組一覧画面
画面Ｎｏ．４：文章表示画面
画面Ｎｏ．５：写真表示画面
の各画面の切り替え制御処理を実行する。
【００８９】
ユーザが、ディスプレイ６５２に表示された記事情報を閲覧し、録画対象とする番組を選択した場合、記事情報解析部６２２は、記事識別子を格納した録画予約リストを生成し、データ記憶部の録画予約リスト記憶部６３２に放送日時情報を書き込む処理を実行する。
【００９０】
その後、録画処理制御部６２１は、録画予約リスト記憶部６３２に格納された放送日時情報の設定された録画予約リストに基づく録画処理を実行し、録画データからなる録画ファイルを生成して録画ファイル記憶部６３１に格納する。
【００９１】
図１３に本発明のユーザインタフェース制御装置を構成するハードウェア構成例を示す。本発明のユーザインタフェース制御装置は、ユーザの操作情報を入力する入力部としての入力インタフェース７０５と、入力インタフェース７０５からの入力情報に基づいて表示データの切り替え処理を実行する表示制御部として機能するＣＰＵ７０１、前記表示制御部の制御に基づいて生成された出力データを表示する表示部としてのディスプレイ７２１を基本構成要素としている。表示制御部としての機能するＣＰＵ７０１は、予めＨＤＤ７１２などの記憶部に格納された表示制御プログラムに従って、リモコン７３１などの入力手段から入力する上下または左右ボタンなどを指定した入力情報に基づいて、番組情報、文章情報、写真情報などの異なるカテゴリのデータを含むデータ集合としての記事から表示対象となるから記事を選択するとともに選択データ集合から表示対象のカテゴリデータを選択し、選択したカテゴリデータを表示部としてのディスプレイ７２１に出力する制御を実行する。
【００９２】
ユーザインタフェース制御装置７００の各構成要素について説明する。ユーザインタフェース制御装置７００は、メイン・コントローラとしてのＣＰＵ（Ｃｅｎｔｒａｌ  Ｐｒｏｃｅｓｓｉｎｇ  Ｕｎｉｔ）７０１が、バス７０７を介して各ハードウェア・コンポーネントと相互接続して、各コンポーネントに対して統括的な制御を実行する。
【００９３】
ＣＰＵ７０１は、ＲＯＭ(Read Only Memory)７０３、またはＨＤＤ７１２等に記憶されているプログラムに従った各種の処理、具体的には、上述した表示データの生成処理、切り替え制御を実行する。ＲＡＭ７０２は、ＣＰＵ７０１が実行するプログラムやデータの記憶領域として利用される。
【００９４】
バス７０７には、出力インタフェース７０４、入力インタフェース７０５、ＨＤＤインタフェース７１１が接続されており、出力インタフェース７０４にはディスプレイ７２１が接続され、先に図を参照して説明した各画面が出力される。また、入力インタフェース７０５には、例えば、ユーザにより操作されるリモコン７３１、あるいは図示しないキーボード、マウスなどからの入力情報が入力される。この入力情報には、先に説明した上下ボタン、左右ボタン、決定ボタン、戻るボタン、その他の各種ボタンの操作情報が含まれ、ＣＰＵ７０１の実行する表示制御プログラムに従ってメニュー画面、記事一覧画面、記事詳細画面、番組一覧画面、文章表示画面、写真表示画面の切り替え処理が実行され、さらにスクロール処理、スキップ処理が実行される。スキップ処理においては、先に説明したように、記事タイトルに併せて表示されているカテゴリデータを含まない記事をスキップするアニメーション表示処理が実行される。これらの表示処理に適用されるプログラムはＨＤＤ７１２に格納され、必要に応じてＨＤＤＩ／Ｆ７１１を介して読み取られてＣＰＵ７０１において実行される。
【００９５】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００９６】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００９７】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００９８】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００９９】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１００】
以上、説明したように、本発明の構成によれば、文章データ、写真データ、番組情報データなどの異なるカテゴリのデータからなるデータ集合、例えば記事データを順次、切り替えて表示する構成において、ユーザの操作する入力手段から入力する上下または左右ボタンを指定した入力情報に基づいて、特定の記事データを選択するとともに、選択した記事データから表示対象のカテゴリデータとして文章データ、写真データ、番組情報データのいずれかを選択し、選択したデータを表示部に出力する構成としたので、効率的なデータの検索および表示処理が可能となる。
【０１０１】
また、本発明の構成によれば、ユーザの入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する構成とした。具体的には、予め指定された表示対象カテゴリに属するデータを含まない記事タイトルについてはスキップすることを示すアニメーション表示を行なう構成としたので、ユーザはスクロールされる表示情報を見ているだけで、各記事に写真データが含まれるか、あるいは文章データが含まれるかなどを判別することが可能となる。
【図面の簡単な説明】
【０１０２】
【図１】本発明のユーザインタフェース制御装置の処理対象とするデータ構成例を説明する図である。
【図２】本発明のユーザインタフェース制御装置の表示データの基本構成を示す図である。
【図３】本発明のユーザインタフェース制御装置の表示データの遷移について説明する図である。
【図４】本発明のユーザインタフェース制御装置の制御により表示される画面例を示す図である。
【図５】本発明のユーザインタフェース制御装置の制御により表示される画面例を示す図である。
【図６】本発明のユーザインタフェース制御装置の制御により表示される画面例を示す図である。
【図７】本発明のユーザインタフェース制御装置の制御により表示される画面例を示す図である。
【図８】本発明のユーザインタフェース制御装置の制御により実行されるスクロール処理を説明する図である。
【図９】本発明のユーザインタフェース制御装置の制御により表示される画面例を示す図である。
【図１０】本発明のユーザインタフェース制御装置の制御により表示される画面例を示す図である。
【図１１】本発明のユーザインタフェース制御装置の制御による表示データの遷移およびスキップ処理について説明する図である。
【図１２】本発明のユーザインタフェース制御装置が適用される録画処理装置の構成を示すブロック図である。
【図１３】本発明のユーザインタフェース制御装置のハードウェア構成例を示す図である。
【符号の説明】
【０１０３】
１００  データ記憶部
１０１  コンテンツ
１０２  記事
１０５  ディスプレイ
１０６  コンテンツ選択領域
１０７  選択コンテンツ表示領域
１０８  カテゴリ選択領域
１１１  コンテンツ種別データ
１１２，１１３  左右ボタン
１１４  データ表示領域
１１５，１１６  上下ボタン
１１７  決定ボタン
１１８  戻るボタン
１２１，１２２，１２３  カテゴリ選択ボタン
１２４，１２５  左右ボタン
２０１  記事タイトル
２０２  記事概要データ表示領域
２０５，２０６  上下ボタン
２０７  操作ボタン
２０８  戻るボタン
２１１  番組情報
２１２  写真情報
２１３  文章情報
２１４  操作ボタン
２１５，２１６  上下ボタン
２１８  戻るボタン
２２１  番組情報表示領域
２２３  記事タイトル情報表示領域
２２４，２２５  上下ボタン
２２６  放送予定アイコン
２２７  録画済アイコン
２２８，２２９，２３０  カテゴリ選択ボタン
２３１  左右ボタン
２３２  操作ボタン
２３３  戻るボタン
２４０  タイトル
２４１  文章情報表示領域
２４２，２４３  上下ボタン
２４４  操作ボタン
２４５  戻るボタン
２５１  写真情報表示領域
２５２，２５３  上下ボタン
３０１，３０２  左右ボタン
３０３，３０４  上下ボタン
３２１  マーク
３３１〜３３５  遷移矢印
６００  録画処理装置
６０１  ネットワーク
６０２  メディア
６０３  放送局
６１０  データ入力部
６１１  チューナ
６１２  メディアＩ／Ｆ
６１３  通信Ｉ／Ｆ
６２０  データ処理部
６２１  録画処理制御部
６２２  記事情報解析部
６２３  ユーザインタフェース制御部
６２４  データ集計部
６３０  データ記憶部
６３１  録画ファイル記憶部
６３２  録画予約リスト記憶部
６３３  記事情報記憶部
６５１  スピーカ
６５２  ディスプレイ
６５３  リモコン
７００  ユーザインタフェース制御装置
７０１  ＣＰＵ
７０２  ＲＡＭ
７０３  ＲＯＭ
７０４  出力Ｉ／Ｆ
７０５  入力Ｉ／Ｆ
７０７  バス
７１１  ＨＤＤ−Ｉ／Ｆ
７１２  ＨＤＤ
７２１  ディスプレイ
７３１  リモコン
【図１】
2005327000.tif 000003
【図２】
2005327000.tif 000004
【図３】
2005327000.tif 000005
【図４】
2005327000.tif 000006
【図５】
2005327000.tif 000007
【図６】
2005327000.tif 000008
【図７】
2005327000.tif 000009
【図８】
2005327000.tif 000010
【図９】
2005327000.tif 000011
【図１０】
2005327000.tif 000012
【図１１】
2005327000.tif 000013
【図１２】
2005327000.tif 000014
【図１３】
2005327000.tif 000015